(57)【要約】【課題】  下顎や頸部に締付け感等を与えることなく、就寝時の下顎下降を抑止することにより、咽喉奥部の狭窄状態を緩和し、いびき発生を防止し、かつ睡眠時無呼吸症状を緩和する防止具の提供。  【解決手段】  いびき防止具１は、下顎受け部２、鎖骨当接部３、喉頸当接部４及び開口部５は、それぞれ下顎、鎖骨、喉頸及び喉仏の外形輪郭線に沿って好適に接合するよう一体的に形成され、ウレタン樹脂よりなる基材６と、シリコン樹脂からなる接着部材７と、接着剤８で基材６に貼着される外装材９と、接着部材７を被覆する接着部材カバー１０よりなる。【選択図】図１
0003106876.tif 000002
【実用新案登録請求の範囲】
【請求項１】
下顎、喉頸、喉仏及び鎖骨の輪郭線に接合させて止着する、いびき防止具であって、
外郭線が側面視ほぼＵ字状をなし、上周面を下顎受け部とし、下周面を鎖骨当接部とし、前記下顎受け部と鎖骨当接部に連設する喉頸当接部を、複数の素材からなる各部材を組み合わせ、接着剤を介して貼着し、下顎受け部、鎖骨当接部及び喉頸当接部を一体的に形成すると共に、前記喉頸当接部の正面ほぼ中央に、縦楕円状の開口部を穿設したことを特徴とする、いびき防止具。
【請求項２】
前記下顎受け部、鎖骨当接部及び喉頸当接部を構成する各部材が、基材、接着部材、外装材及び接着部材カバー等により形成されていることを特徴とする、請求項１記載のいびき防止具。
【請求項３】
前記基材となる素材が、少なくともシリコン系樹脂、ウレタン系樹脂、エチレン酢酸ビニール、ポリエステル繊維、ポリプロピレン又はポリエチレンテレフタレートのうち、いずれかの素材であることを特徴とする、請求項２記載のいびき防止具。
【請求項４】
前記接着部材が、少なくともシリコン系樹脂、ポリエチレンテレフタレート又はポリプロピレンのうち、いずれかの素材であることを特徴とする、請求項２記載のいびき防止具。
【請求項５】
前記外装材がポリエステル繊維であることを特徴とする、請求項２記載のいびき防止具。
【請求項６】
前記接着部材カバーが、少なくともポリプロピレン、ポリエチレンテレフタレート、ポリエステル繊維又は、ポリスチレンのうちいずれかの素材であることを特徴とする、請求項２記載のいびき防止具。
【考案の詳細な説明】
【技術分野】
【０００１】
本考案は、いびき防止具に係り、さらに詳しくは、下顎、喉頸及び鎖骨の輪郭線に接合させて止着する、いびき防止具に関する。
【背景技術】
【０００２】
いびきは、睡眠中の呼吸に伴って鼻や口から発する雑音で、睡眠による弛緩した軟口蓋の奥が、呼吸気の気流や圧力差で起きるとされ、具体的には、仰向きに就寝した状態で、下顎が下降して口腔が開くと同時に舌が後下方へ移動することにより、呼吸気の流路が狭小となり、これに口呼吸が重なると、特に口蓋咽頭弓が振動して咽頭後壁や舌根部に接触するためにいびきが発生する。
【０００３】
いびきが重症となると、他人の安眠妨害となるばかりか、慢性的な睡眠不足となり、一時的に呼吸が停止する、いわゆる睡眠時無呼吸症候群となり、交通事故等の原因ともなり、社会的にも問題視されてきている。
【０００４】
上記したいびきの発生要因を除去するために、多種多様の提案がなされている。例えば、いびき抑制枕、マウスピース、いびき防止シール等があるが、その実際の効果は芳しくはない。  
【０００５】
いびき発生の大きな要因は、仰向きの睡眠状態で、下顎が下降して口腔が開くと同時に舌が後下方へ移動することにより、呼吸気の流路が狭小となるためとされ、この下顎の下降と口腔が開くことを防ぐことが、いびき防止に直結するとして多くの提案が開示されている。
【０００６】
例えば実公昭５５−４９０７０、特開平７−５９８０７等があるが、前者は、首に沿って巻き付け、かつ下顎と鎖骨部との間を突張る幅を有する巻付帯１の両端に設けた掛止部材２とから成るものであり、その使用方法は、就眠に際し首に巻付帯１を巻付けるので、締付け感、圧迫感や違和感を払拭できないので、安眠することが困難である。
【０００７】
後者の特開平７−５９８０７は、下顎の下に宛って下顎の下動を抑制する突張り部材４と、該突張り部材を首回りに固定するためのベルト５とからなり、前記突張り部材４を、下顎に宛がう上宛部２と、鎖骨部直下の胸部に宛がう下宛部３との少なくとも二部材で形成すると共に、該上宛部２と下宛部３を長さ調節自在に接合してなるもであるが、
構造が複雑なために装着が煩瑣であり、部品点数も多くかつ、金属製品を使用しているためにかなりの重量となり、またベルト５を首に巻き付けるので、前者と同様に締付け感ないし圧迫感や違和感があり、連続して使用する気持ちになれないという欠点がある。
【特許文献１】実公昭５５−４９０７０号公報
【特許文献２】特開平７−５９８０７号公報
【考案の開示】
【考案が解決しようとする課題】
【０００８】
本考案の目的は、上記の特許文献１及び特許文献２などの問題点を解決し、下顎や頸部に締付け感ないし圧迫感や違和感を与えることなく、就寝時における下顎の下降を抑止することにより、咽喉奥部の狭窄状態を緩和し、いびきの発生を防止すると共に、睡眠時無呼吸症状を緩和する防止具の提供にある。
【課題を解決するための手段】
【０００９】
上記の課題を解決するための第１の考案は、下顎、喉仏、喉頸及び鎖骨の輪郭線に接合させて止着する、いびき防止具であって、外郭線が側面視ほぼＵ字状をなし、上周面を下顎受け部とし、下周面を鎖骨当接部とし、前記下顎受け部と鎖骨当接部に連設する喉頸当接部を、複数の素材からなる各部材を組み合わせ、接着剤を介して貼着し、下顎受け部、鎖骨当接部及び喉頸当接部を一体的に形成すると共に、前記喉頸当接部の正面ほぼ中央に、縦楕円状の開口部を穿設したことを特徴としている。
【００１０】
第２の考案は、請求項１記載のいびき防止具において、前記下顎受け部、鎖骨当接部及び喉頸当接部を構成する各部材が、基材、接着部材、外装材及び接着部材カバー等により形成されていることを特徴としている。
【００１１】
第３の考案は、請求項２記載のいびき防止具において、前記基材となる素材が、少なくともシリコン系樹脂、ウレタン系樹脂、エチレン酢酸ビニール、ポリエステル繊維、ポリプロピレン又はポリエチレンテレフタレートのうち、いずれかの素材であることを特徴としている。
【００１２】
第４の考案は、請求項２記載のいびき防止具において、前記接着部材が、少なくともシリコン系樹脂、ポリエチレンテレフタレート又はポリプロピレンのうち、いずれかの素材であることを特徴としている。
【００１３】
第５の考案は、請求項２記載のいびき防止具において、前記外装材がポリエステル繊維であることを特徴としている。  
【００１４】
第６の考案は、請求項２記載のいびき防止具において、前記接着部材カバーが、少なくともポリプロピレン、ポリエチレンテレフタレート、ポリエステル繊維又は、ポリスチレンのうちいずれかの素材であることを特徴としている。
【考案の効果】
【００１５】
本考案に係る、いびき防止具は、上記の構成になるから以下の効果を奏する。即ち、第１及び第２の考案によれば、下顎、喉仏、喉頸及び鎖骨の輪郭線に接合させて止着するので、締付け感ないし圧迫感や違和感等を感じることなく安眠でき、また上周面に下顎を載せ、下周面で鎖骨に当接するので、下顎が下降して口腔が開き、舌が後下方へ移動することもなく、したがって呼吸気の流路が狭小となることを抑止し、いびきの発生を防止でき、かつ睡眠中の無呼吸症状も防止できる。また喉頸当接部の正面ほぼ中央に、縦楕円状の開口部を穿設しているので、喉仏がよく発達している男性がこれを装着しても、その動きを妨げることがないので違和感等を感じさせない。さらに基材、接着部材、外装材及び接着部材カバー等は、それぞれ個別に製作され、接着剤を介して一体化されるので大量製作が可能であるために、製作コストを安価にできる。
【００１６】
第３及び第４の考案によれば、本考案のいびき防止具の主原料は、合成樹脂材であるため加工性が良好であり、かつ製品重量を軽量とすることができる。また接着部材は、シリコン系樹脂等によるので、下顎、喉仏、喉頸及び鎖骨等の表皮面に好適にフィットし、肌荒れ、かぶれ等の炎症を起こすこともない。さらに睡眠中に寝返りをしても喉頸等から離脱し難いという利点も併せ有する。  
【００１７】
第５の考案によれば、外装材にポリエステル繊維を使用するので、外見上の見映えがよく、感触も良好でかつ汚れ難い。
【００１８】
第６の考案によれば、本考案のいびき防止具を使用しないときは、ポリプロピレン製等の接着部材カバーで被覆するので、接着部材の酸化を防止し、粘着力を保持すると共に、接着部材表面の汚れも防ぐことができる。
【考案を実施するための最良の形態】
【００１９】
以下、本考案に係る、いびき防止具の好適な実施形態について図面を参照しながら説明する。図１は斜視図、図２は平面図、図３は図２における３−３線断面図、図４は使用状態を示す側面図、図５は他の実施態様を示す断面図である。
【００２０】
図１及び図２において、１はいびき防止具で、２は下顎受け部、３は鎖骨当接部、４は喉頸当接部で、下顎受け部２と鎖骨当接部３に連接されており、５は喉仏を可動させるための開口部で、喉頸当接部４（下顎受け部２の下部）の正面ほぼ中央に、縦楕円状に穿設されている。
【００２１】
図１及び図２に示すように、下顎受け部２、鎖骨当接部３、喉頸当接部４及び開口部５は、それぞれ下顎、鎖骨、喉頸及び喉仏の外形輪郭線に沿って好適に接合するよう一体的に形成されている。
【００２２】
図３は、本考案のいびき防止具１を構成する各部材を示し、公知の成型法例えば、射出成型法等により成型された、厚さが約１〜２ｍｍのウレタン樹脂よりなる基材６の内側に、基材６とほぼ同巾の粘着力と弾力性のあるシリコン樹脂からなる接着部材７を、接着剤８を介して貼着し、また基材６の外側には厚さが約１〜２ｍｍのポリエステル繊維からなる外装材９を接着剤８で貼着している。１０は、接着部材７の全面を被覆する着脱自在の接着部材カバーで、接着部材７の表面の酸化と汚れを防ぎ、その粘着力を保持するために装着するもので、厚さは約１〜２ｍｍのポリプロピレン等からなり、いびき防止具１を使用するときは、接着部材７からこれを取り外して使用し、不使用時はこれを接着部材７に装着して、いびき防止具１は保管される。
【００２３】
人体の体格、体型により首の長さ、太さ、下顎の長さ等は、異なるためにいびき防止具１の横巾、高さ等の各サイズは特定されないが、図２及び図３に示すいびき防止具１の横巾Ｗは、約１０〜１５ｃｍ、長さＬは、約５〜１０ｃｍ、高さＨは、約６〜１１ｃｍの寸法とされ、また構成各部材の総厚さＤは、約２〜５ｍｍとし、その寸法内で適宜設定され、数種の製品が制作される。
【００２４】
本考案のいびき防止具１の使用は、図４に示すように仰臥した人の下顎に下顎受け部２、鎖骨には鎖骨当接部３、喉頸には喉頸当接部４、喉仏には開口部５がそれぞれの輪郭線に好適に接合するように装着される。
【００２５】
図５は、本考案を構成する各部材の他の実施態様を示すもので、公知の成型法により成型された、厚さが約１〜２ｍｍの比較的に硬度あるシリコン樹脂からなる基材６０の内側に、基材６０とほぼ同巾の粘着力と弾力性のあるシリコン樹脂からなる接着部材７０を、接着剤８０を介して貼着し、基材６０の外側には厚さが約１〜２ｍｍのポリエステル繊維からなる外装材９０を接着剤８０で貼着している。５０は開口部である。
【産業上の利用可能性】
【００２６】
本考案は、近年、社会問題化している、いびきや睡眠時無呼吸症候群等についての問題を解消することになるので、健康医療品業界のメーカー、ディーラー等はもちろん、その他関連業界の活性化につながる可能性は、大とされる。
【図面の簡単な説明】
【００２７】
【図１】本考案に係る、いびき防止具の斜視図である。
【図２】同上の平面図である。
【図３】図２における３−３線断面図である。
【図４】使用状態を示す側面図である。
【図５】他の実施態様を示す断面図である。
【符号の説明】
【００２８】
１                  いびき防止具
２                  下顎受け部
３                  鎖骨当接部
４                  喉頸当接部
５                  開口部
６、６０            基材
７、７０            接着部材
８、８０            接着剤
９、９０            外装材
１０                接着部材カバー
【図１】
0003106876.tif 000003
【図２】
0003106876.tif 000004
【図３】
0003106876.tif 000005
【図４】
0003106876.tif 000006
【図５】
0003106876.tif 000007